(57)【要約】【課題】電気接続箱内に電子部品を収容することにより電気接続箱内の空間を有効に活用し、電気接続箱の小型化を図る。【解決手段】アッパーケース１１とロアケース１２よりなるケース内部に背面側の一側部に沿ってリレー用垂直バスバー３０を配置し、リレー２０より突出する端子２０ａをリレー用垂直バスバー３０に貫通させ半田付けしてリレー２０をリレー用垂直バスバー３０に固定すると共に、ケース内部に大型のヒュージブルリンク２１および電流センサー２２を配置し、リレー２０の収容位置とは異なる箇所のロアケース１２の下面を上方に屈折して上方屈折部１２ａを設け、該上方屈折部１２ａに太物電線ｗ３、ｗ４に接続したコネクタ６０、６１を収容するコネクタ収容部１８Ａ、１８Ｂを設けている。【選択図】  図２
2004350448.tif 000002
【特許請求の範囲】
【請求項１】
アッパーケースとロアケースよりなるケース内部の側面に沿ってバスバーを垂直配置し、該垂直配置したバスバーに横向き配置するリレーより水平方向に突出する端子を電気接続状態で固定し、該リレーを上記ケース内部の中間部に収容していることを特徴とする電気接続箱。
【請求項２】
上記ケース内部の上下位置にバスバーを水平配置し、これらバスバーの端部に上向きおよび下向きの屈折部を設け、これら屈折部を上記垂直方向のバスバーの上下両端に接合させて電気接続させ、
上記上下位置に配置したバスバーの間に空間を形成し、該空間に上記横向きリレーを配置している請求項１に記載の電気接続箱。
【請求項３】
上記リレーより水平方向に突出する端子を、上記垂直方向に配置するバスバーの端子孔に貫通させ或いは上記端子を屈折させてバスバーと当接させ、上記リレーの端子を上記バスバーに半田付け或いは溶接している請求項１または請求項２に記載の電気接続箱。
【請求項４】
上記ケース内部に電源入力部と接続される垂直方向のプレートバスバーを配置し、該バスバーに横向き配置するヒュージブルリンクと電流センサーを接続し、さらに、太物電線との接続用のコネクタ収容部はロアケースに設け、該コネクタ収容部は上記リレーを内部収容している部分とは異なる位置で上方に屈折させた上記ロアケース下面に形成している請求項１乃至請求項３のいずれか１項に記載の電気接続箱。
【発明の詳細な説明】
【０００１】
【発明の属する技術分野】
本発明は、電気接続箱に関し、詳しくは、アッパーケースとロアケースよりなるケース内部の空間を有効に活用して、電気接続箱を小型化するものである。
【０００２】
【従来の技術】
従来、自動車に搭載する電気接続箱として、本出願人は特開２０００−９２６６０号等において種々の電気接続箱を提供している。
特開２０００−９２６６０号において提供する電気接続箱１は、図８に示すように、アッパーケース２とロアケース３よりなるケース内部に、水平バスバー５Ａ〜５Ｄを絶縁板４Ａ〜４Ｄと交互に積層配置すると共に、該水平バスバー５Ａ〜５Ｄの所要箇所を屈折してタブ５ａを設け、該タブ５ａをアッパーケース２とロアケース３に設けたコネクタ収容部６、リレー収容部７、ヒューズ収容部８内に突出させている。
【０００３】
また、バッテリーと接続される電気接続箱１００は、図９に示すように、アッパーケース１０１とロアケース１０２よりなるケース内部に、水平バスバー１０３ａを絶縁板１０３ｂと交互に積層配置する積層体１０３と電流センサー１０４を収容している。一方、アッパーケース１０１に複数のリレー収容部１０５、ヒューズ収容部１０６、中型のヒュージブルリンク収容部１０７、大型のヒュージブルリンク収容部１０８、予備ヒューズの収容部１０９、ヒューズプラー収容部１１０を設け、ロアケース１０２には複数のコネクタ収容部１１１を設けて、水平方向に並列的に配置している。また、電気接続箱１００では、アッパーケース１０１にアッパーカバー１１２、ロアケース１０２にロアカバー１１３を被せている。コネクタ収容部１１１に収容されるコネクタ１１４は太物電線１１５の端末に接続するものであり、該太物電線１１５を引き出すためロアケース１０２とロアカバー１１３の間には大きな空間Ｓを設けている。
【０００４】
【特許文献１】
特開２０００−９２６６０号公報
【０００５】
【発明が解決しようとする課題】
上記のように、電気接続箱ではアッパーケースとロアケースの外面にコネクタ収容部、リレー収容部、ヒューズ収容部等を設け、これら収容部に装着するコネクタ、リレー、ヒューズはすべて水平方向に並列的に配置される。したがって、多数のリレー、ヒューズを搭載するジャンクションボックス等の電気接続箱では、その外形が水平方向に大型化するという問題がある。
特に、ロアケースから太物電線を引き出すために大きな空間をあけてロアカバーを取り付ける場合には、水平方向に限らず、垂直方向にも大型化するという問題がある。
【０００６】
本発明は上記問題に鑑みてなされたものであり、電気接続箱のケース内部の空間を有効に活用し、電気接続箱の小型化を図ることを課題としている。
【０００７】
【課題を解決するための手段】
上記課題を解決するため、本発明は、アッパーケースとロアケースよりなるケース内部の側面に沿ってバスバーを垂直配置し、該垂直配置したバスバーに横向き配置するリレーより水平方向に突出する端子を電気接続状態で固定し、該リレーを上記ケース内部の中間部に収容していることを特徴とする電気接続箱を提供している。
【０００８】
上記ケース内部には、その上下位置にバスバーを水平配置し、これらバスバーの端部に上向きおよび下向きの屈折部を設け、これら屈折部を上記垂直方向のバスバーの上下両端に接合させて電気接続させ、
上記上下位置に配置したバスバーの間に空間を形成し、該空間に上記横向きリレーを配置している。
【０００９】
上記構成とすると、従来はアッパーケースあるいは／およびロアケースの外面に設けたリレー収容部に搭載していたリレーを、本発明ではケース内部の空間に収容しているため、ケース外面に搭載するリレーの個数を減らすことができ、電気接続箱の水平方向への拡大を防止することができ、電気接続箱の設置スペースを小さくできる。特に、大型で背の高いリレーをケース内部に収容することが好ましく、かつ、垂直配置するバスバーに上下２段で各段に複数列でリレーを接続すると、電気接続箱に搭載するリレーの約半数をケース内部に収容することができ、電気接続箱の断面積を従来と比較して半減できる。
さらに、従来はロアケースから太物電線を引き出すためにロアケースとロアカバーとの間に設けられた空間を、上記リレーを配置する空間として利用するため、電気接続箱の高さを従来と同等とでき、全体として電気接続箱の小型化を図ることができる。
【００１０】
上記リレーより水平方向に突出する端子を、上記垂直方向に配置するバスバーの端子孔に貫通させ或いは上記端子を屈折させてバスバーと当接させ、上記リレーの端子を上記バスバーに半田付け或いは溶接している。
上記構成とすると、リレーを垂直バスバーに容易かつ確実に固定でき、電気接続箱のケース内部の中間空間に配置することができる。また、接続するために他の端子等を使用しないので、部品点数を増加させることもなく、リレー用のキャビテイを設ける必要もないので、省スペース化も図れる。
【００１１】
上記ケース内部に電源入力部と接続される垂直方向のプレートバスバーを配置し、該バスバーに横向き配置するヒュージブルリンクと電流センサーを接続している。
上記構成とすると、電源入力部と接続される大型の電流センサーおよびヒュージブルリンクも垂直方向のバスバーに接続することで、ケース内部の空間を利用して収容でき、電気接続箱の断面積の縮小を効果的に図ることができる。
【００１２】
さらに、上記太物電線との接続用のコネクタ収容部はロアケースに設け、該コネクタ収容部は上記リレーを内部収容している部分とは異なる位置で上方に屈折させた上記ロアケース下面に形成している。
上記構成とすると、上記太物電線との接続用コネクタ収容部を上記内部リレーの配置位置のロアケース外面に形成せず、位置を相違させてロアケースの上部屈折部に形成しているため、電気接続箱の高さを大とすることなく、太物電線との接続用の空間も確保できる。
【００１３】
【発明の実施の形態】
以下、本発明の実施の形態を図面を参照して説明する。
図１乃至図４は、本発明の第１実施形態を示し、電気接続箱１０は自動車のバッテリー近傍に配置するものである。
【００１４】
図１（Ａ）は、電気接続箱１０の平面図（アッパーカバー省略）を示し、アッパーケース１１には、リレー収容部１３、ヒューズ収容部１４、中型のヒュージブルリンク収容部１５、予備ヒューズの収容部１６、ヒューズプラー収容部１７を設けている。上記リレー収容部１３、中型のヒュージブルリンク収容部１５に搭載するリレー及びヒュージブルリンクはいずれも差し込み接続されるものである。
【００１５】
図１（Ｂ）は、電気接続箱１０の底面図（ロアカバー省略）を示し、ロアケース１２には、コネクタ収容部１８を設けている。該ロアケース１２は図２に示すように、図中左右両側の間に上方屈折部１２ａを設け、該上方屈折部１２ａに太物電線用のコネクタ収容部１８Ａ、１８Ｂを設け、図中右側の段状下部に負荷側と接続される細物電線用のコネクタ収容部１８Ｃを設けている。
【００１６】
上記アッパーケース１１とロアケース１２とを組みつけて形成されるケース内部には、その背面側の一側部に沿ってリレー接続用に垂直方向のバスバー３０（以下、リレー用垂直バスバー３０と称す）を収容すると共に、ケース内部の上下両側に水平方向に配置するバスバー４０、４３（以下、水平バスバー４０、４３と称す）を収容している。これら水平バスバー４０、４３の背面端に上下に屈折させた接続部４０ａ、４３ａを設け、リレー用垂直バスバー３０の上下両側と接合させて溶接している。該接続部を収容するためにアッパーケース１１およびロアケースの背面側には対向して突出させた接続収容部１９を設けている。
なお、水平バスバー４０、４３の接続部４０ａ、４３ａとリレー用垂直バスバー３０の接続は、溶接に限らず、半田付けや端子接続により行ってもよい。
【００１７】
上記のようにケース内部の上下に水平バスバー４０、４３を配置すると共に背面側のリレー用垂直バスバーを配置することにより、これらバスバー３０、４０、４３に囲まれたリレー収容空間Ｓをケース内部の一側に形成している。
上記アッパーケース１１とロアケース１２とはロック固定された後、アッパーケース１１にはアッパーカバー５０を、ロアケース１２にはロアカバー５１を被せてそれぞれロック固定される。
【００１８】
上記リレー収容空間Ｓには多数のリレー２０を横向きに配置し、その水平方向に突出する端子２０ａを上記リレー用垂直バスバー３０に接続して取り付けている。
本実施形態では、上下２段で各列４個で、合計８個のリレー２０を間隔をあけてリレー用垂直バスバー３０に接続固定している。
【００１９】
上記リレー用垂直バスバー３０は、図３（Ａ）に示すように、上下両端を接続部３０ａとし、該接続部３０ａを水平バスバー４０、４３の接続部４０ａ、４３ａに溶接した状態でアッパーケース１１とロアケース１２の接続収容部１９に収容している。
リレー用垂直バスバー３０には、予めリレー２０から突出する端子２０ａを挿通する端子孔３０ｂが穿設されている。リレー用垂直バスバー３０は接続部３０ａを除いて両面を樹脂モールドしており、リレー２０を取り付ける表面側は全面樹脂モールドする一方、裏面側は端子孔３０ｂ周辺に樹脂が充填されないようにし、端子孔３０ｂ及び該端子孔３０ｂ周辺のリレー用垂直バスバー３０を露出させている。該端子孔３０ｂにリレー２０の端子２０ａを貫通させて半田付けして、リレー２０をリレー用垂直バスバー３０に強固に固定している。
なお、リレー用垂直バスバー３０の裏面側も全面樹脂モールドして、端子孔３０ｂ周辺のモールド樹脂３１を剥離してもよい。
【００２０】
図２に示すように、ケース内部の他側には、その背面側の一側部に沿って垂直方向の絶縁板３２を配置し、該絶縁板３２に大型のヒュージブルリンク２１と電流センサー２２を垂直方向に並列させて横向き配置している。ヒュージブルリンク２１は、１本の入力端子２１ａと２本の出力端子２１ｂ、２１ｃを備えたマルチタイプとしている。
【００２１】
ヒュージブルリンク２１の入力端子２１ａには、中継バスバー３３、ＬＡ端子３４を介してバッテリー側の電源線ｗ１と接続している。
また、中継バスバー３３は、水平バスバー４０を下方に屈折した屈折側４０ｂとも接続している。該水平バスバー４０は、図３（Ａ）に示すように、アッパーケース１１側に配置した水平部分の所要箇所を上方に屈折してタブ４０ｃを設け、該タブ４０ｃをアッパーケース１１のヒューズ収容部１４内に突出され、ヒューズ（図示せず）と接続すると共に、上記のように接続部４０ａでリレー用垂直バスバー３０と接続している。該リレー用垂直バスバー３０は、下端側で水平バスバー４３の接続部４３ａと接続し、該水平バスバー４３はロアケース１２側に配置した水平部分の所要箇所を下方に屈折してタブ４３ｂを設け、該タブ４３ｂをロアケース１２のコネクタ収容部１８Ｃ内に突出され、電装部品へと接続される細物電線の端末に接続されたコネクタ（図示せず）と接続される。即ち、バッテリーから供給された電流は、水平バスバー４０を通って、該水平バスバー４０の途中でヒューズを通り、その後、リレー用垂直バスバー３０のリレー２０を通り、さらに、水平バスバー４３を通って、電装部品に接続される細物電線側へ電源が供給される。
【００２２】
ヒュージブルリンク２１の出力端子２１ｂは所要箇所を屈折させて設けた第３プレートバスバー３５の一端と共に絶縁板３２にボルト締め固定し、第３プレートバスバー３５の他端はロアケース１２の上方屈折部１２ａに設けたコネクタ収容部１８Ａ内に突出させ、太物電線ｗ３の端末に接続したコネクタ６０と接続して電源を供給している。
【００２３】
また、出力端子２１ｃは第１プレートバスバー３６の中間部と共に絶縁板３２にボルト締め固定し、第１プレートバスバー３６の下端は外部回路の電線ｗ２端末のＬＡ端子３７と共に絶縁板３２にボルト締め固定して、ＡＣＧ側へ電源を分配する電線ｗ２側に電源を供給している。
第１プレートバスバー３６の上側は電流センサー２２を通し、上端を所要箇所を屈折して設けた第２プレートバスバー３８の一端と共に絶縁板３２にボルト締め固定し、該第２プレートバスバー３８の他端は、ロアケース１２の上方屈折部１２ａに設けた他のコネクタ収容部１８Ｂ内に突出させ、太物電線ｗ４の端末に接続したコネクタ６１と接続して電源を供給している。
【００２４】
上記構成とすると、従来はアッパーケースあるいは／およびロアケースの外面に設けていたリレー収容部のリレーを、ケース内部のリレー収容空間Ｓに収容しているため、ケース外面に搭載するリレーの個数を減らすことができる。これにより、電気接続箱の水平方向への拡大を防止することができ、電気接続箱の設置スペースを小さくすることができる。
さらに、ケース内部のリレーの収容部分と異なる位置のロアケース１２を上方に屈折し、該上方屈折部１２ａに太物電線ｗ３、ｗ４との接続用のコネクタ収容部１８Ａ、１８Ｂを設けているので、太物電線ｗ３、ｗ４を引き出すために電気接続箱１０の高さを大とする必要がない。
したがって、電気接続箱１０の大幅な小型化を図ることができる。
【００２５】
また、リレー２０の端子２０ａをリレー用垂直バスバー３０に半田付けしているので、リレー２０を横向きに配置しても確実にリレー用垂直バスバー３０に固定して、電気接続箱１０のケース内部のリレー収容空間Ｓに配置することができる。また、接続するために他の端子等を使用しないので、部品点数を増加させることもなく、リレー用のキャビテイを別途設ける必要がないので、省スペース化を図ることができる。
【００２６】
図５は、本発明の第２実施形態を示し、第１実施形態とは、リレー２０’とリレー用垂直バスバー３０’の接続方法を相違させている。即ち、本実施形態のリレー用垂直バスバー３０’には端子孔を設けず、また、両面を樹脂モールドした後、リレー２０’の端子２０ａ’との接続部分の両面のモールド樹脂３１’を剥離して、リレー用垂直バスバー３０’を露出させている。この露出させたリレー用垂直バスバー３０’にリレー２０’から突出する端子２０ａ’の先端を屈折させた屈折側２０ａ−１’を当接させて、裏面側から溶接作業を行い、リレー２０’をリレー用垂直バスバー３０’に強固に固定している。
【００２７】
上記のように固定しても、リレー２０’をリレー用垂直バスバー３０’に容易かつ確実に固定でき、電気接続箱のケース内部のリレー収容空間に配置することができる。また、接続するために他の端子等を使用しないので、部品点数を増加させることもない。
なお、他の構成は第１実施形態と同様のため説明を省略する。
【００２８】
図６は、本発明の第３実施形態を示し、リレー用垂直バスバー３０’の両面を樹脂モールドした後、リレー２０’の端子２０ａ’との接続部分及びその周囲のモールド樹脂３１’を剥離して、リレー用垂直バスバー３０’を露出させ、該露出させたリレー用垂直バスバー３０’にリレー２０’から突出する端子２０ａ’の先端を屈折させた屈折側２０ａ−１’を当接させて半田付けしている。
【００２９】
【発明の効果】
以上の説明より明らかなように、本発明によれば、アッパーケースあるいは／およびロアケースの外面に設けたリレー収容部に搭載していた複数個のリレーをケース内部に垂直方向に配置したバスバーに横向き配置することにより、ケース外面に搭載するリレーの個数を略半減して、電気接続箱の水平方向への拡大を防止することができ、電気接続箱の設置スペースを小さくすることができる。
【００３０】
特に、ケース内部のリレーの収容部分と異なる位置のロアケースを上方に屈折し、該上方屈折部に太物電線との接続用のコネクタ収容部を設けると、太物電線を引き出すために電気接続箱の高さを大とする必要がない。これにより、全体として電気接続箱の小型化を図ることができる。
【００３１】
上記リレーより突出する端子を上記垂直バスバーに貫通接続させ或いは端子を屈折させて垂直バスバーと当接させ、半田付け或いは溶接により接続すると、リレーを垂直バスバーに容易かつ確実に固定して電気接続箱のケース内部に配置することができる。また、接続するために他の端子等を使用しないので、部品点数を増加させることもない。さらに、リレー用のキャビテイを設ける必要もなく、省スペース化を図ることもできる。
【００３２】
上記ケース内部の空間を利用してヒュージブルリンクおよび電流センサーをケース内部に配置すると、ケース外面に搭載する部品をさらに減らすことができ、電気接続箱の断面積の縮小を効果的に図ることができる。
【図面の簡単な説明】
【図１】本発明の第１実施形態の電気接続箱を示し、（Ａ）はアッパーカバーを除いた平面図、（Ｂ）はロアカバーを除いた底面図である。
【図２】電気接続箱のＩ１−Ｉ１線断面図である。
【図３】（Ａ）は電気接続箱のＩ２−Ｉ２線断面図、（Ｂ）は電気接続箱のＩ３−Ｉ３線断面図である。
【図４】リレーとリレー用垂直バスバーの接続方法を示す要部拡大図である。
【図５】本発明の第２実施形態を示す図面である。
【図６】本発明の第３実施形態を示す図面である。
【図７】従来例の電気接続箱を示す図面である。
【図８】他の従来例の電気接続箱を示す図面である。
【符号の説明】
１０  電気接続箱
１１  アッパーケース
１２  ロアケース
１３  リレー収容部
１４  ヒューズ収容部
１５  中型のヒュージブルリンク収容部
１８  コネクタ収容部
２０  リレー
２１  ヒュージブルリンク
２１ａ  入力端子
２１ｂ、２１ｃ  出力端子
２２  電流センサー
３０  リレー用垂直バスバー
３２  絶縁板
３３  中継バスバー
３４、３７  ＬＡ端子
３５  第３プレートバスバー
３６  第１プレートバスバー
３８  第２プレートバスバー
４０、４３  水平バスバー
５０  アッパーカバー
５１  ロアカバー
６０、６１  コネクタ
ｗ３、ｗ４  太物電線
【図１】
2004350448.tif 000003
【図２】
2004350448.tif 000004
【図３】
2004350448.tif 000005
【図４】
2004350448.tif 000006
【図５】
2004350448.tif 000007
【図６】
2004350448.tif 000008
【図７】
2004350448.tif 000009
【図８】
2004350448.tif 000010